(57)【要約】【課題】窓を覆う投影幕に人影を投影して、監視対象構造物内に人が居ることを錯覚させ、不審者の空巣狙いを阻止することができる空巣狙い断念装置の提供。【解決手段】空巣狙い断念装置Ｂは、発光ダイオード１を配列して発光面１０とした発光板２と、発光ダイオード１へ通電を行う通電回路３と、人型に似せた遮光部を有する投影フィルム８と、投影フィルム８を揺動させる揺動手段８１と、開口４１を形成した筐体４内に配設し、光を集光させる集光レンズ５を開口４１に取り付け、監視対象構造物の窓６１を覆う投影幕７へ光束６０を照射する。監視対象構造物の外側から窓６１を見ると、人型に似せた影が投影幕７に投影されるので、監視対象構造物内に誰かが居る様に錯覚し、空巣狙いを未然に阻止することができる。【選択図】図５
0003190978.tif 000002
【実用新案登録請求の範囲】
【請求項１】
板表面に複数の発光ダイオードを格子状に配列した発光板を、開口を形成した筐体内に配設し、
各発光ダイオードが発する光を集光させる集光レンズを前記開口に取り付け、監視対象構造物の窓を覆う投影幕へ光束を照射する空巣狙い断念装置であって、
前記発光板と前記集光レンズとの間に、人型に似せた遮光部を有する投影フィルムを配したことを特徴とする空巣狙い断念装置。
【請求項２】
揺動手段により前記投影フィルムを揺動させることを特徴とする請求項１に記載の空巣狙い断念装置。
【請求項３】
板表面に複数の発光ダイオードを格子状に配列して発光面とした発光板と、各発光ダイオードへの通電を制御する通電回路とを、開口を形成した筐体内に配設し、
各発光ダイオードが発する光を集光させる集光レンズを前記開口に取り付け、監視対象構造物の窓を覆う投影幕へ光束を照射する空巣狙い断念装置であって、
人型に似せた非発光部を前記発光面に設定し、この非発光部の外に位置する発光部の発光ダイオードへ前記通電回路が通電を行うことを特徴とする空巣狙い断念装置。
【請求項４】
時間経過に従って前記非発光部の形状が変わる様に、前記通電回路が各発光ダイオードへの通電を制御することを特徴とする請求項３に記載の空巣狙い断念装置。
【請求項５】
前記通電回路が時間経過に従って各発光ダイオードへの通電を制御して前記非発光部の形状を段階的に変え、
且つ前記非発光部の形状を変えるタイミングに合わせて、前記通電回路が前記発光ダイオードへの通電量を低減させることを特徴とする請求項３に記載の空巣狙い断念装置。
【請求項６】
夕暮れから夜明け前までの時間帯であって、人検知センサが前記監視対象構造物の外に不審者を検知した際に、前記投影幕へ光束照射が行われることを特徴とする請求項３乃至請求項５の何れかに記載の空巣狙い断念装置。
【考案の詳細な説明】
【技術分野】
【０００１】
本考案は、空巣狙い断念装置に関する。
【背景技術】
【０００２】
特許文献１には、プロジェクタ等で構成した偽装した人影を窓やカーテンに投影する防犯装置が開示されている。
【先行技術文献】
【特許文献】
【０００３】
【特許文献１】特開平１１−１３４５６９号公報
【考案の概要】
【考案が解決しようとする課題】
【０００４】
特許文献１の技術は、大がかりである。
本考案の目的は、窓を覆う投影幕に人影を投影して、監視対象構造物内に人が居ることを錯覚させ、不審者の空巣狙いを阻止することができる空巣狙い断念装置の提供にある。
【課題を解決するための手段】
【０００５】
（請求項１について）
空巣狙い断念装置は、板表面に複数の発光ダイオードを格子状に配列した発光板を、開口を形成した筐体内に配設している。
各発光ダイオードが発する光を集光させる集光レンズが筐体の開口に取り付けられ、監視対象構造物の窓を覆う投影幕へ光束が照射される。
人型に似せた遮光部を有する投影フィルムを発光板と集光レンズとの間に配している。  
【０００６】
遮光部を有する投影フィルムを通過した光は、人型の影を持った光束となり、筐体の開口の集光レンズによって集光し、この人型の影を持った集光した光束が監視対象構造物の窓を覆う投影幕へ照射される。
監視対象構造物の外側から空巣狙いが窓を見ると、人影が投影幕に投影されるので、監視対象構造物内に誰かが居る様に錯覚し、空巣狙いを未然に阻止することができる。  
【０００７】
（請求項２について）
投影フィルムは、揺動手段により揺動する。
遮光部を有する投影フィルムを通過した光は、揺動する人型の影を持った光束となり、筐体の開口の集光レンズによって集光し、この揺動する人型の影を持った集光した光束が監視対象構造物の窓を覆う投影幕へ照射される。
監視対象構造物の外側から空巣狙いが窓を見ると、揺動する人影が投影幕に投影されるので、監視対象構造物内に誰かが居る様に錯覚し、空巣狙いを未然に阻止することができる。  
【０００８】
（請求項３について）
空巣狙い断念装置は、板表面に複数の発光ダイオードを格子状に配列して発光面とした発光板と、各発光ダイオードへの通電を制御する通電回路とを、開口を形成した筐体内に配設している。
【０００９】
各発光ダイオードが発する光を集光させる集光レンズが筐体の開口に取り付けられ、監視対象構造物の窓を覆う投影幕へ光束が照射される。
人型に似せた非発光部が発光板の発光面に設定され、この非発光部の外に位置する発光ダイオードへ通電回路が通電を行う。
【００１０】
発光板の発光面の人型に似せた非発光部の外に位置する発光部の発光ダイオードへ通電回路が通電を行うと、非発光部の発光ダイオードが光らず、発光部の発光ダイオードが光る。
【００１１】
筐体の開口に取り付けられた集光レンズによって光が集光し、この集光した光束が監視対象構造物の窓を覆う投影幕へ照射される。
監視対象構造物の外側から空巣狙いが窓を見ると、人型に似せた影が投影幕に投影されるので、監視対象構造物内に誰かが居る様に錯覚し、空巣狙いを未然に阻止することができる。  
【００１２】
（請求項４について）
空巣狙い断念装置は、時間経過に従って、発光板の発光面の人型に似せた非発光部の形状が変わる様に、通電回路が各発光ダイオードへの通電を制御する。
監視対象構造物の外側から空巣狙いが窓を見ると、時間経過に従って、人型に似せた影の形状が変わって投影幕に投影される。このため、監視対象構造物内で人間が活動している様に錯覚し、空巣狙いを未然に阻止することができる。
【００１３】
（請求項５について）
空巣狙い断念装置は、時間経過に従って、発光板の発光面の人型に似せた非発光部の形状が段階的に変わる様に、通電回路が各発光ダイオードへの通電を制御する。
この際、非発光部の形状を変えるタイミングに合わせて、通電回路が発光ダイオードへの通電量を低減させている。
このため、投影幕に投影される人影が不自然に変化せず、監視対象構造物の外側から空巣狙いが窓を見た際に、人影が自然に動いている様に投影幕に投影される。故に、監視対象構造物内で人間が活動している様に錯覚し、空巣狙いを未然に阻止することができる。  
【００１４】
（請求項６について）  
空巣狙い断念装置は、夕暮れから夜明け前までの時間帯で、人検知センサが監視対象構造物の外に不審者を検知した際に、投影幕へ光束照射を行う。
投影幕への光束照射による錯覚効果が大きく、且つ、空き巣狙いが侵入する可能性が高い夜間（夕暮れから夜明け前）に、空き巣狙い錯覚装置を作動状態にしておく。
【００１５】
不審者が監視対象構造物へ近づいてくると、人検知センサが不審者を検知して、投影幕へ光束照射を行って、人型に似せた影を投影する。
このため、無駄な電力消費を防ぐことができるとともに、外が明るい時に監視対象構造物の近くを通行人が通って投影へ光束が照射される（薄い影なので視認が困難）といった意味がない挙動が起きない。
【図面の簡単な説明】
【００１６】
【図１】本考案の実施例１に係る空巣狙い断念装置の説明図である。
【図２】その空巣狙い断念装置の設置状態を示す説明図である。
【図３】その空巣狙い断念装置で作られる人型に似せた影の説明図である。
【図４】その空巣狙い断念装置で作られる人型に似せた別の影の説明図である。
【図５】本考案の実施例２に係る空巣狙い断念装置の説明図である。
【考案を実施するための形態】
【００１７】
空巣狙い断念装置は、板表面に複数の発光ダイオードを格子状に配列した発光板を、開口を形成した筐体内に配設している。
各発光ダイオードが発する光を集光させる集光レンズが筐体の開口に取り付けられ、監視対象構造物の窓を覆う投影幕へ光束が照射される。
人型に似せた遮光部を有する投影フィルムを発光板と集光レンズとの間に配している。  
【００１８】
遮光部を有する投影フィルムを通過した光は、人型の影を持った光束となり、筐体の開口の集光レンズによって集光し、この人型の影を持った集光した光束が監視対象構造物の窓を覆う投影幕へ照射される。
【００１９】
監視対象構造物の外側から空巣狙いが窓を見ると、人影が投影幕に投影されるので、監視対象構造物内に誰かが居る様に錯覚し、空巣狙いを未然に阻止することができる。  
【実施例１】
【００２０】
本考案の実施例１に係る空巣狙い断念装置（請求項３〜６に対応）を、図１〜図４に基づいて説明する。
図に示す如く、空巣狙い断念装置Ａは、発光ダイオード１を格子状に配列して発光面１０とした発光板２と、発光ダイオード１への通電を制御する通電回路３とを、開口４１を形成した筐体４内に配設している。
【００２１】
発光ダイオード１が発する光を集光させる集光レンズ５群が筐体４の開口４１に取り付けられている。
監視対象構造物６の窓６１は、若干の光透過性を有する投影幕７（カーテン等）で覆われ、投影幕７には光束６０が照射される。
【００２２】
人型に似せた非発光部１１が発光板２の発光面１０に設定され、この非発光部１１の外に位置する発光部の発光ダイオード１へ通電回路３が通電を行う。
【００２３】
通電回路３は、マイクロコンピュター３０を備え、非発光部１１の形状が時間経過に従って多段階に変わる様に、発光ダイオード１への通電量を段階的に制御する非発光形状可変手段３１と、非発光部１１の形状が多段階に変わる時のタイミングに合わせて発光ダイオード１への通電量を低減させる通電量低減手段３２とを有する。
発光部の発光ダイオード１が光り、非発光部１１の発光ダイオード１が光らないので、影７１を有する光束６０が生じる。
【００２４】
筐体４は、監視対象構造物６内の天井に配設される。
この筐体４の開口４１に取り付けられた集光レンズ５群によって光が集光され、この集光した光束６０が監視対象構造物６の窓６１を覆う投影幕７へ照射される。
光束６０が投影幕７に当たると、人型に似せた影７１の形状が時間経過に従って多段階に変わり、その変わる時に、通電量低減手段３２により、一瞬、発光面１０が暗くなる。  
【００２５】
なお、季節を考慮したタイマーやｃｄｓを用いて外が暗い状態（夕暮れから夜明け前までの時間帯）であるか否かをマイクロコンピュター３０が判別し、外が暗い状態で有ると判断した場合には、監視対象構造物６の外に不審者８がいるか否かを検知する人検知センサ３３を作動させる。
監視対象構造物６の外に不審者を人検知センサ３３が検知すると、マイクロコンピュター３０は、通電回路３に指示して、投影幕７へ光束６０を照射する。
【００２６】
本考案の空巣狙い断念装置は、以下の利点を有する。
監視対象構造物６の外側から空巣狙いを企んでいる不審者８が窓６１を見ると、人型に似せた影７１が投影幕７に投影されているので、監視対象構造物６内に誰かが居る様に錯覚し、空巣狙いを断念する。
この際、人型に似せた影７１の形状が時間経過に従って多段階（図３、図４参照）に変わるとともに、その変わる時に、一瞬、発光面１０が暗くなので、影７１の動きが自然で、生身の人間の影７１の様に見える。
【００２７】
監視対象構造物６内に誰も居ないことが明らかであると空き巣狙いが侵入する可能性が高い、外が暗い状態（夕暮れから夜明け前までの時間帯）であって、投影幕７へ光束６０を照射すると影７１が投影される場合に人検知センサ３３を作動させ、投影幕７へ光束６０を照射しても投影幕７に影７１ができない外が明るい状態では、人検知センサ３３を作動させない構成である。
このため、無駄な電力消費を防ぐことができるとともに、外が明るい時に監視対象構造物６の近くを通行人が通って投影幕７へ光束６０が照射される（薄い影なので視認が困難）といった意味がない挙動が起きない。
【００２８】
本考案の実施例２に係る空巣狙い断念装置（請求項３〜６に対応）を図５に基づいて説明する。
図５に示す如く、空巣狙い断念装置Ｂは、発光ダイオード１を格子状に配列して発光面１０とした発光板２と、発光ダイオード１へ通電を行う通電回路３３と、投影フィルム８とを、開口４１を形成した筐体４内に配設している。
【００２９】
筐体４は、監視対象構造物６内の天井に配設される。この筐体４の開口４１には、集光レンズ５群が取り付けられている。
投影フィルム８は、人型に似せた遮光部を有し、発光板１０と集光レンズ５との間に配されている。
投影フィルム８を通過した光は、人型の影を持った光束となり、集光レンズ５によって集光し、この人型の影を持った集光した光束６０が投影幕７１へ照射される。
【００３０】
通電回路３３は、マイクロコンピュター３０を備え、揺動手段８１に指示して投影フィルム８を揺動させるとともに、発光ダイオード１へ通電を行う。
【００３１】
季節を考慮したタイマーやｃｄｓを用いて外が暗い状態（夕暮れから夜明け前までの時間帯）であるか否かをマイクロコンピュター３０が判別し、外が暗い状態で有ると判断した場合には、監視対象構造物６の外に不審者がいるか否かを検知する人検知センサ３３を作動させる。
【００３２】
監視対象構造物６の外に不審者を人検知センサ３３が検知すると、マイクロコンピュター３０は、揺動手段８１に指示して投影フィルム８を揺動させるとともに、発光ダイオード１へ通電を行う。
【００３３】
監視対象構造物６の外側から空巣狙いが窓６１を見ると、揺動する人影が投影幕７１に投影されるので、監視対象構造物内６に誰かが居る様に錯覚し、空巣狙いを未然に阻止することができる。  
【００３４】
空巣狙い断念装置Ｂは、空巣狙い断念装置Ａに比べ、影７１の動きに劣るが、発光ダイオード１の数を著しく減らす（数個で済む）ことができる。
【００３５】
本考案は、上記実施例以外に、つぎの実施態様を含む。
ａ．監視対象構造物は、バス、トラック、自家用車等の車両であっても良い。この場合、投影幕は、窓を隠すカーテンである。
【００３６】
ｂ．空巣狙い断念装置は、夕暮れから夜明け前までの時間帯において、光束照射を常時行って、人型に似せた影を投影幕に映す構成であっても良い（請求項１〜６に対応）。
【符号の説明】
【００３７】
Ａ、Ｂ  空巣狙い断念装置
１  発光ダイオード
２  発光板
３  通電回路
４  筐体
５  集光レンズ
７  投影幕
８  投影フィルム
１０  発光面
１１  非発光部
４１  開口
【図１】
0003190978.tif 000003
【図２】
0003190978.tif 000004
【図３】
0003190978.tif 000005
【図４】
0003190978.tif 000006
【図５】
0003190978.tif 000007